(57)【要約】      （修正有）【課題】識別バーコードが貼られた運送用ボックス入貨時に、貨物受取人作業効率をも大幅に向上したワークステーション及びその情報変換方法を提供すること。【解決手段】ワークステーション１０は、ワークテーブル１３と、該ワークテーブル１３上に取付けられた物件安置区１４を有し、該テーブル本体１２に取付けられた表示器１５と、第１の識別バーコードを直接読取って第１のバーコード信号を出力する該テーブル本体１２上に取付けられたバーコード読取装置と、該表示器１５に該ステーション・テーブル映像及び該物件映像を抜き取り、顕現させて作業人員の観察に供する映像抜き取り装置と、該第１のバーコード信号を受信して該第１の識別バーコードを解読した後、第２のバーコードに変換して出力する信号変換装置と、該第２のバーコードを受信してプリンティングすることにより識別情報の変換を完成するバーコード・プリンティング装置とを備える。【選択図】      図１
2005197661.tif 000002
【特許請求の範囲】
【請求項１】
物件を処理して該物件の識別情報を変換するのに応用される情報変換のワークステーションであって、
ステーション・テーブル本体と、
前記ステーション・テーブル本体上に取付けられ、前記物件を安置する物件安置区を有し、この物件に第１の識別バーコードを有するワーク・テーブルと、
前記ステーション・テーブルに取付けられた表示器と、
前記第１の識別バーコードを直接読取って第１のバーコード信号を出力するように前記ステーション・テーブル本体上に取付けられたバーコード読取装置と、
ステーション・テーブル映像及び物件映像を抜き取り、前記表示器に該ステーション・テーブル映像及び該物件映像を顕現させて作業人員の観察に供する映像抜き取り装置と、
前記第１のバーコード信号を受信して前記第１の識別バーコードを解読した後、第２のバーコードに変換して出力する信号変換装置と、
前記第２のバーコードを受信して該第２のバーコードをプリンティングすることにより識別情報の変換を完成するバーコード・プリンティング装置と、
を備えてなるワークステーション。
【請求項２】
前記ワークステーションはさらに、前記物件の前進方向に沿って該ステーション・テーブルに進入するのを検出し、該ワークステーションの前記第１の識別バーコードへの自動変換を起動する反射式センサを備える、請求項１記載のワークステーション。
【請求項３】
前記ワークステーションの表示器はスクリーンであり、前記バーコード読取装置は多光ビーム・レーザ光学識別系統であり、該系統は走査器を備え、そして前記映像抜き取り装置は上方及び側部撮影器を備え、これにより該スクリーン上に上面視及び側面視映像を形成させ、また前記信号変換装置はコンピュータ・ホストであり、このコンピュータ・ホストには第１の識別コードを解読する第１のソフトウェア・プログラムが取付けられてあり、且つ該第２のバーコード信号は内部データであり、
前記走査器は識別リード・ヘッドを有し、そして前記第１のソフトウェア・プログラムは一度に１２組のリード・ヘッドを解読するように整合され、且つ前記コンピュータ・ホストは顧客側のアプリケーションサーバ及び顧客側のデータベース・サーバに連接しており、
前記コンピュータ・ホストは多重制御器であり、且つ該コンピュータ・ホストの前記第１のソフトウェア・プログラムは多重入貨又は入貨比較ソフトウェアを備え、
前記コンピュータ・ホストは無線区域ネットワーク（ＬＡＮ）を介して前記内部データを同期的に伝送し、当該無線区域ネットワークはデータ収集器に連接すると共に、前記データ収集器は第２のソフトウェア・プログラムを利用して該内部データを伝送し、
前記コンピュータ・ホストは光学データ収集検出器であり、これにより該内部データを企業資源計画系統に転送し、及び／又は
前記コンピュータ・ホストは前記多ビーム・レーザ識別系統を介して入貨データの調査を行い、そして前記ワークステーションはモジュール化設計を通して自動錯誤検出機能を有する、請求項１記載のワークステーション。
【請求項４】
前記ワークステーションの上方及び側部撮影機はネットワーク伝送の遠隔制御を遂行し、そして該ワークステーションは人間工学設計に基づいて人工運搬作業を便ならし、重複性作業を回避できるようにさせ、及び／又は
前記バーコード・プリンティング装置は工業級多重バーコード印刷機であり、紙の消耗量を観察する観察ウィンドーを有すると共に、熱のトランスファ又は直接の熱方式により高速度印刷を行う、請求項１記載のワークステーション。
【請求項５】
物件の処理に応用される情報変換のワークステーションであって、
ステーション・テーブル本体と、
前記ステーション・テーブル本体上に取付けられ、前記物件を安置する物件安置区を備えると共に、この物件に第１の識別バーコードを有するワーク・テーブルと、
前記第１の識別バーコードを直接読取って第１のバーコード信号を出力するように、該ステーション・テーブル本体上に取付けられたバーコード読取装置と、
前記第１のバーコード信号を受信して該第１の識別バーコードを解読した後、第２のバーコードに変換して出力する信号変換装置とを備えてなる、ワークステーション。
【請求項６】
前記物件の識別情報を変換するワークステーションにおいて、
前記ワークステーションは更に、該ステーション・テーブル本体に取付けられた表示器を備えており、そしてこのワークステーションにはワーク・テーブル映像及び物件映像を抜き取る映像抜き取り装置があり、前記表示器において工作人員の観察に供する該ワーク・テーブル映像及び該物件映像を顕現し、且つ該ワークステーションは該第２のバーコードを受信して第２のバーコードをプリンティングすることにより識別情報の変換を完成するバーコード・プリンティング装置を備えてなり、及び／又は
前記ワークステーションは更に、前記バーコード読取装置を起動するキーボードと、
作業人員の操作に供するタッチコントロール式多重インターファイスとを備えてなる、請求項５記載のワークステーション。
【請求項７】
物件の処理に応用される情報変換のワークステーションであって、
ステーション・テーブル本体と、
前記ステーション・テーブル本体上に取付けられ、前記物件を安置する物件安置区を備えると共に、この物件に第１の識別バーコードを有するワーク・テーブルと、
前記第１の識別バーコードを直接読取って該第１の識別バーコードを解読して第２のバーコード出力に変換するよう、該ステーション・テーブル本体上に取付けられたバーコード変換装置と、
を備えてなるワークステーション。
【請求項８】
物件の識別情報を変換するワークステーションにおいて、前記バーコード変換装置はバーコード読出装置及び信号変換装置を備え、該バーコード読取装置により第１のバーコード信号を出力すると共に、該信号変換装置により第１のバーコード信号を受信し、該第１の識別バーコードを解読して該第２のバーコードを出力し、及び／又は、
前記ワークステーションは更に前記ステーション・テーブル本体上に取付けられた表示器を備え、そしてこのワークステーションにはワーク・テーブル映像及び物件映像を抜き取る映像抜き取り装置があり、この表示器には該ワーク・テーブル映像及び該物件映像が顕現して作業人員の観察に供され、またこのワークステーションは第２のバーコード信号を受信して第２のバーコードをプリンティングすることにより識別情報の変換を完成するバーコード・プリンティング装置を備えている、請求項７に記載のワークステーション。
【請求項９】
ステーション・テーブル本体を提供するステップと、
ワーク・テーブルを前記ステーション・テーブル本体上に取付け、このワーク・テーブルに物件を安置する物件安置区を備え、この物件に第１の識別バーコードを有するステップと、
前記第１の識別バーコードを直接読取って第１のバーコード信号を出力するように前記ステーション・テーブル本体上にバーコード読取装置を取付けるステップと、
信号変換装置を利用して第１のバーコード信号を受信することにより前記第１の識別バーコードを解読して第２のバーコード信号に変換して出力するステップと、
を備えてなるワークステーションの情報変換方法。
【請求項１０】
前記方法は前記物件の識別情報を変換するにあり、この方法はさらに、前記ステーション・テーブル本体上に取付けられた表示器と、ワーク・テーブル映像及び物件映像を抜き取り、該表示器中にこれら映像を顕現させて作業人員の観察に供する映像抜き取り装置と、前記第２のバーコード信号を受信して第２のバーコードをプリンティングすることにより識別情報の変換を完成するバーコード・プリンティング装置と、
を備えてなる請求項９に記載の情報変換方法。
【発明の詳細な説明】
【技術分野】
【０００１】
本発明は情報変換のワークステーション及びその変換方法に関し、特に、物件を処理して識別情報を変換することに応用される情報変換のワークステーション及びその変換方法に関する。
【背景技術】
【０００２】
一般の半導体メーカが入貨時に１２″の運送用ウェイファ・ボックス（Front Opening Shipping BOX,FOSB）を受取る場合、通常甲方から乙方に移送するが、この時ウェイファ上に貼られているのは甲方社自体が認定していた識別バーコードであり、この場合、社毎にバーコードの定義が必ずしも同一でないので、乙方社に移送した時に必ず貨物受取人（In Voice）によりスキャンニング・ガンで甲方社のバーコードに対して走査し、その貨物の種類を確認してから、乙社と該類貨物とが対応するバーコードを探出し、さらに乙社のバーコードをプリンティングした後、再度該貨物上に貼付る。この時、もし大量の貨物を受取る場合、常に手を一本出して当該スキャンニング・ガンを持つ必要がある。このようになると貨物受取人は常に一本の手で受取らなければならないトラブルに落ちる。しかも貨物を受取る時に該スキャンニング・ガンを上下に移動するので、手、腕が疲労しやすく痛みを感ずるのでこのような入貨方式は極めて理想的でない。
【０００３】
したがって、如何に入貨時に常に一本のスキャンニング・ガンを手に持たなければならない問題を改善して、入貨受取人がスキャンニング・ガンの上下移動のトラブルを回避できるように、本出願人により鋭意実験、テスト及び研究を重ねた結果、ついに情報変換のワークステーション及びその変換方法を案出した。これにより従来がスキャンニング・ガンを持たなければならない欠点を効果的に克服した外、貨物受取人の作業効率をも大幅に向上した。
【発明の開示】
【発明が解決しようとする課題】
【０００４】
本発明の主たる目的はバー・コード読取装置を利用して第１の識別バー・コードを直接読取ることにより、貨物受取人がスキャンニング・ガンを持って走査の動作を行う必要がないようにすることにある。
本発明の又次の目的は映像抜き取り（または抽出）装置を運用してワーク・テーブル映像及び物件映像を攫い取ることにより、映像信号を表示器に伝送して作業人員の観察に供することにある。
【０００５】
本発明の又次の目的は信号変換装置を用いて該第１のバーコード信号を受信すると共に、自動的に該第１の識別バーコードを解読して第２のバーコード信号に変換して出力することにある。
【課題を解決するための手段】
【０００６】
本発明は物件を処理して該物件の識別情報を変換するのに応用される情報変換のワークステーションであって、ステーション・テーブル本体と、該ステーション・テーブル本体上に取付けられ、該物件を安置する物件安置区を有し、この物件に第１の識別バーコードを有するワーク・テーブルと、該ステーション・テーブルに取付けられた表示器と、該第１の識別バーコードを直接読取って第１のバーコード信号を出力するように該ステーション・テーブル本体上に取付けられたバーコード読取装置と、ステーション・テーブル映像及び物件映像を抜き取り、該表示器にステーション・テーブル映像及び該物件映像を顕現させて作業人員の観察に供する映像抜き取り装置と、該第１のバーコード信号を受信して第１の識別バーコードを解読した後、第２のバーコードに変換して出力する信号変換装置と、該第２のバーコードを受信して第２のバーコードをプリンティングすることにより識別情報の変換を完成するバーコード・プリンティング装置とを備えてなる（請求項１に対応）。
【０００７】
上記本発明のワークステーションにおいて、更に該物件の前進方向に沿って該ステーション・テーブルに進入するのを検出し、該ワークステーションの該第１の識別バーコードへの自動変換を起動する反射式センサを備える（請求項２に対応）。
また上記本発明のワークステーションにおいて、該ワークステーションの表示器はスクリーンであり、該バーコード読取装置は多光ビーム・レーザ光学識別系統であり、該系統は走査器を備え、そして該映像抜き取り装置は上方及び側部撮影機を備え、これにより該スクリーン上に上面視及び側面視映像を形成させ、また該信号変換装置はコンピュータ・ホストであり、このコンピュータ・ホストには第１の識別バーコードを解読する第１のソフトウェア・プログラムが取付けられてあり、且つ該第２のバーコード信号は内部データであり、該走査器は識別リード・ヘッドを有し、そして該第１のソフトウェア・プログラムは一度に１２組のリード・ヘッドを解読するように整合され、且つ該コンピュータ・ホストは顧客側のアプリケーション・サーバ及び顧客側のデータベース・サーバに連接しており、該コンピュータ・ホストは多重制御器であり、且つ該コンピュータ・ホストの該第１のソフトウェア・プログラムは多重入貨又は入貨比較ソフトウェアを備え、該コンピュータ・ホストは無線区域ネットワーク（ＬＡＮ）を介して、該内部データを同期的に伝送し、当該無線区域ネットワークはデータ収集器に連接すると共に、該データ収集器は第２のソフトウェア・プログラムを利用して該内部データを伝送し、該コンピュータ・ホストは光学データ収集検出器であり、これにより該内部データを企業資源計画系統に転送し、及び／又は該コンピュータ・ホストは該多ビーム・レーザ識別系統を介して入貨データの調査を行い、そして該ワークステーションはモジュール化設計を介して自動錯誤検出機能を有する。
【０００８】
また、上記本発明のワークステーションにおいて、該ワークステーションの上方及び該側部撮影機はネットワーク伝送を介して遠隔制御を遂行し、そして該ワークステーションは人間工学設計に基づいて人工運搬作業を便ならしめ重複性作業を回避できるようにさせ、及び／又は該バーコード・プリンティング装置は工業級多重バーコード印刷機であり、紙の消耗量を観察する観察ウィンドーを有すると共に、熱のトランスファ又は直接の熱方式により高速度プリンティングを行う（請求項４に対応）。
【０００９】
さらに、本発明は物件の処理に応用される情報変換のワークステーションであって、ステーション・テーブル本体と、該ステーション・テーブル本体上に取付けられ、該物件を安置する物件安置区を備えると共にこの物件に第１の識別バーコードを有するワーク・テーブルと、該第１の識別バーコードを直接読取って第１のバーコード信号を出力するように、該ステーション・テーブル本体上に取付けられたバーコード読取装置と、該第１のバーコード信号を受信して該第１の識別バーコードを解読した後、第２のバーコードに変換して出力する信号変換装置とを備えてなる（請求項５に対応）。
【００１０】
また本発明の該物件の識別情報を変換するワークステーションにおいて、該ワークステーションは更に、該ステーション・テーブル本体上に取付けられた表示器を備えており、そしてこのワークステーションにはワーク・テーブル映像及び物件映像を抜き取る映像抜き取り装置があり、該表示器において工作人員の観察に供する該ワーク・テーブル映像及び該物件映像を顕現し、且つ該ワークステーションは該第２のバーコードを受信して第２のバーコードをプリンティングすることにより識別情報の変換を完成するバーコード・プリンティング装置を備えてなり、及び／又は該ワークステーションは更に、該バーコード読取装置を起動するキーボードと、作業人員の操作に供するタッチ・コントロール式多重インターフェイスとを備えてなる（請求項６に対応）。
【００１１】
また本発明の物件の処理に応用される情報変換のワークステーションであって、ステーション・テーブル本体と、該ステーション・テーブル本体上に取付けられ、該物件を安置する物件安置区を備えると共にこの物件に第１の識別バーコードを有するワーク・テーブルと、第１の識別バーコードを直接読取って該第１の識別バーコードを解読して第２のバーコード出力に変換するよう、該ステーション・テーブル本体上に取付けられたバーコード変換装置と、を備えてなる（請求項７に対応）。
【００１２】
また本発明の該物件の識別情報を変換するワークステーションにおいて、該バーコード変換装置はバーコード読出装置及び信号変換装置を備え、そして該バーコード読取装置により第１のバーコード信号を出力すると共に、該信号変換装置により第１のバーコード信号を受信し、該第１の識別バーコードを解読して該第２のバーコードを出力し、及び／又は該ワークステーションは更に該ステーション・テーブル本体上に取付けられた表示器を備え、そしてこのワークステーションにはワーク・テーブル映像及び物件映像を抜き取る映像抜き取り装置があり、この表示器には該ワーク・テーブル映像及び該物件映像が顕現して作業人員の観察に供され、またこのワークステーションは第２のバーコード信号を受信して第２のバーコードをプリンティングすることにより識別情報の変換を完成するバーコード・プリンティング装置を備えている（請求項８に対応）。
【００１３】
さらには本発明により提供された、物件の処理に応用されるワークステーションの情報変換方法は、ステーション・テーブル本体を提供するステップと、ワーク・テーブルを該ステーション・テーブル本体上に取付け、このワーク・テーブルに該物件を安置する物件安置区を備え、この物件に第１の識別バーコードを有するステップと、該第１の識別バーコードを直接読取って第１のバーコード信号を出力するように、該ステーション・テーブル本体上にバーコード読取装置を取付けるステップと、信号変換装置を利用して第１のバーコード信号を受信することにより該第１の識別バーコードを解読して第２のバーコード信号に変換して出力するステップと、を備えてなる（請求項９に対応）。
【００１４】
上記本発明のワークステーションの情報変換方法において、該方法は該物件の識別情報を変換するにあり、この方法はさらに、該ステーション・テーブル本体上に取付けられた表示器と、ワーク・テーブル映像及び物件映像を抜き取り該表示器中にこれら映像を顕現させて作業人員の観察に供する映像抜き取り装置と、該第２のバーコード信号を受信して第２のバーコードをプリンティングすることにより識別情報の変換を完成するバーコード・プリンティング装置と、を備えてなる（請求項１０に対応）。
【００１５】
本発明は上記発明の開示により、運用される情報変換のワークステーション及びその変換方法は、確実にバーコード読取装置を利用して直接第１の識別バーコードを読み取ることが出来るので、入貨員はもはや従来のように走査ガンで走査を行う動作をとる必要がなく、映像を表示器に伝送して作業人員の観察に供することが出来る特色を理解できる。
【００１６】
上記の開示はまた添付図面を参照しながら下記の好適な実施例を説明すれば、さらによく理解できるであろう。
【発明を実施するための最良の形態】
【００１７】
図１は本発明の情報変換のワークステーション及びその変換方法の好適な実施例の立体見取図である。図２は本発明に用いられたバーコード読取装置の取付位置見通図である。これら図１、２において、１０は物件（例えばウェイファ・ボックス）１１の処理に応用して物件１１の識別情報を変換する情報変換のワークステーションであって、ステーション・テーブル本体１２と、このステーション・テーブル本体１２上に取付けられ、そして第１の識別バーコード（図示せず）を有する物件１１を安置するための物件安置区１４を有するワーク・テーブル１３と、ステーション・テーブル本体１２上に取付けられた表示器１５と、該第１の識別バーコードを直接読取ることにより第１のバーコード信号を出力するようにステーション・テーブル本体１２上に取付けられたバーコード読取装置２０（図２においては表示器１５下方に位置している）と、ワーク・テーブル映像及び物件映像を抜き取り、そして表示器１５中にワーク・テーブル映像１６及び物件映像１７を顕現して作業人員の観察に供する映像抜き取り装置２１と、該第１のバーコード信号を受信することにより該第１の識別バーコードを解読すると共に第２のバーコード信号に変換して出力する信号変換装置１８と、該第２のバーコード信号を受信して第２のバーコード（図示せず）をプリンティングすることにより該識別情報の変換を完成するバーコード・プリンティング装置１９とを備えてなる。
【００１８】
ワークステーション１０はさらに、物件が前進方向ＦＤに沿ってワーク・テーブル１３に進入するのを検出することにより、ワークステーション１０を起動して該第１の識別バーコードを自動的に変換する反射式センサ２２を備えており、このようにすればキーボードを使用して走査器２０を起動する必要がない。ワークステーション１０の表示器はスクリーンであり、バーコード読取装置２０は多ビーム・レーザ光学識別系統２０であり、走査器２０を含む。映像抜き取り装置２１はスクリーン上で上面視及び側面視映像２３１，２４１を形成するための上方、及び側部撮影機２３，２４を備えている。信号変換装置１８は第１のソフトウェアを取付けて第１の識別バーコードを解読する第１のコンピュータ・ホスト１８１である。該第２のバーコード信号は内部データである。走査器２０は識別リード・ヘッドを有し、そして該第１のソフトウェア・プログラムは一度に１２組のバーコードを解読するように整合されている。コンピュータ・ホスト１８１は、図３に示すように、顧客側補助設備サーバ３０及び顧客側データベース・サーバ３１に連接している。
【００１９】
ワークステーション１０のコンピュータ・ホスト１８１は多重制御器であり、且つコンピュータ・ホスト１８１の第１のソフトウェアは多重入貨及び入貨比較ソフトウェアを含む。コンピュータ・ホスト１８１は無線局部区域ネットワーク（ＬＡＮ）３２を介して該内部資料を同期的に伝送する。この無線局部区域ネットワーク３２はデータ収集器３３に連接し、そしてデータ収集器３３は第２のソフトウェア・プログラムを利用して該内部データを伝送する。コンピュータ・ホスト１８１は光学データ収集検出器であり、該内部データを企業資源計画（ＥＲＰ）系統（図示せず）に転送する。コンピュータ・ホスト１８１は又多ビームレーザ識別系統２０を介して入貨データの査定を行い、そしてワークステーション１０はモジュール化設計により自動錯誤検出機能を有する。
【００２０】
ワークステーション１０の上方及び側部撮影機２３，２４は、ネットワーク伝送を介してネットワーク・トラフィック・アナライザ３５を遂行し、そしてワークステーション１０は人間工学に基づいて人工運搬作業の便となるようにし、重複作業による疲労を回避する。バーコード・プリンティング装置１９は工業級多重バーコード印刷機であり、紙の消耗量を観察する観察ウィンドー１９１（図１参照）を有し、且つ熱のトランスファ又は直接の熱方式で高速度プリンティングを進行する。
【００２１】
また本発明に係る情報変換のワークステーション１０は、物件１１の処理に応用されるものであって、ステーション・テーブル本体１２と、該ステーション・テーブル本体１２上に取付けられ、該物件１１を安置する物件安置区１４を備え、この物件１１に第１の識別バーコードを有するワーク・テーブル１３と、第１の識別バーコードを直接読取って第１のバーコード信号を出力するように、ステーション・テーブル本体１２上に取付けられたバーコード読取装置２０と、該第１のバーコード信号を受信して第１の識別バーコードを解読した後第２のバーコード信号に変換して出力する信号変換装置１８とを備えてなるものである。言うまでもなく、この時のワークステーション１０は物件１１の識別情報を変換することが可能である。このワークステーション１０はさらに、ステーション・テーブル本体１２上に設けられた表示器１５と、ワーク・テーブル映像及び物件映像を抜き取り、該ワーク・テーブル映像１６及び物件映像１７を表示器１５中に顕現して作業人員の観察に供する映像抜き取り装置２１と、該第２のバーコード信号を受信して第２のバーコードをプリンティングすることにより識別情報の変換を完成するバーコード・プリンティング装置１９とを備えてなる。図４は本発明に係る情報変換のワークステーションの他の好適な実施例の立体見取図である。図４におけるワークステーション４０はさらに、バーコード読取装置４１を起動するキーボード１９２と、作業人員の操作に供するタッチ制御式多重インターファイス３６（図３参照）を備えている。本実施例に係るワークステーション４０のキーボード１９２を使用してバーコード読取装置４１を起動するその他の仔細部分は前段に記載した通りであるからその記載を省略する。
【００２２】
またさらには、本発明に係る物件１１の処理に応用される情報変換のワークステーション１０は、ステーション・テーブル本体１２と、該ステーション・テーブル本体１２上に取付けられ、該物件１１を安置する物件安置区１４を備え、且つこの物件１１に第１の識別バーコードを有するワーク・テーブル１３と、該第１の識別バーコードを直接読取って該第１の識別バーコードを解読することにより第２のバーコード信号を変換して出力するよう、ステーション・テーブル本体１２上に取付けられたバーコード変換装置とを備えてなる。言うまでもなく、この時のワークステーション１０は物件１１の識別情報を変換するためにあり、その中の該バーコード変換装置はバーコード読取装置２０及び信号変換装置１８を備え、そしてバーコード読取装置２０により第１のバーコード信号を出力すると共に、信号変換装置１８により該第１のバーコード信号を受信して解読した後該第２のバーコード信号を出力する。本実施例中のワークステーション１０は必ずしもバーコード読取装置２０及び信号変換装置１８の両者を分けて設置するとは限らないが、その仔細の部分は前段に述べた通りであるから、ここではその説明を省略する。
【００２３】
さらには本発明により提供された、物件１１の処理に応用されるワークステーションの情報変換方法は、ステーション・テーブル本体１２を提供するステップと、該ステーション・テーブル本体上にワーク・テーブル１３を取付け、そしてこのワークステーション１０に第１の識別バーコードを有する物件を安置する安置区が備えるステップと、該第１の識別コードを直接読み取って第１のバーコード信号を出力するように該ステーション・テーブル本体１２上にバーコード読取装置を取付けるステップと、信号変換装置１８を利用して第１のバーコードを受信することにより該第１の識別バーコードを解読して第２のバーコード信号に出力するステップと、を備えてなる。ここで本実施例におけるワークステーション１０の変換方法のその他仔細部分は前段に説明した通りであるから、さらなる説明を省略する。
【００２４】
要するに本発明は新式な設計で、バーコード読取装置を利用して直接第１の識別バーコードを読取ることにより入貨員が走査ガンを持って走査の動作を行わなくても映像抜き取り装置を運用してワーク・テーブル映像及び物件映像を抜き取り、映像信号を表示器に送り、作業人員の観察に供することができる。
【００２５】
ここに記載された実施の形態は本発明の技術的手段をより具体的に説明するためのもので、当然本発明の技術思想はこれに限定されず、添付クレームの範囲を逸脱しない限り、当業者による単純な設計、附加、修飾、置換はいずれも本発明の技術的範囲に属する。
【図面の簡単な説明】
【００２６】
【図１】本発明に係る情報変換のワークステーション及びその変換方法の好適な実施例の立体見取図である。
【図２】本発明に用いられたバーコード読取装置の取付位置見取図である。
【図３】本発明の知恵型多ビーム・レーザ光学識別設備の系統構造見取図である。
【図４】本発明に係る情報変換のワークステーションの他の好適な実施例の立体見取図である。
【符号の説明】
【００２７】
１０…ワークステーション  １１…物件  １２…ステーション・テーブル本体  １３…ワーク・テーブル  １４…物件安置区  １５…表示器  １６…テーブル映像  １７…物件映像  １８…信号変換装置  １８１…コンピュータ・ホスト  １９…バーコード・プリンティング装置  １９１…観察ウィンドー  １９２…キーボード  ２０…バーコード読取装置（走査器／多ビーム・レーザ光学識別系統）  ２１…映像抜き取り装置  ２２…反射式センサ  ＦＤ…前進方向  ２３…上方撮影機  ２３１…上面視映像  ２４…側部撮影機  ２４１…側面視映像  ３０…顧客側ＡＦサーバ  ３１…顧客側ＯＢサーバ  ３２…無線局部区域ネットワーク  ３３…データ収集器  ３４…ネットワーク伝送  ３５…遠隔監察制御  ３６…タッチ制御式多重インターファイス  ４０…ワークステーション  ４１…バーコード読取装置
【図１】
2005197661.tif 000003
【図２】
2005197661.tif 000004
【図３】
2005197661.tif 000005
【図４】
2005197661.tif 000006